(57)【要約】      （修正有）【課題】二重の漏れ防止の香水噴霧ノズルを提供する。【解決手段】本体構成品の下方に、順を追って嵌着部材１２と接続部材１３とが接続され、台１１の内部の側壁の下方縁部に案内溝を設け、前記案内溝は受け溝１２２によって、嵌着部材の合わせ穴１２３に連絡する。前記合わせ穴の内周面に係止部材１３４と弾性部材１３３とを繞設し、かつ、台の内部に回転軸２１が枢設され、回転軸の内部に貫通孔２１１を有し、回転軸下方の貫通孔は回転軸が所定場所に回されたときに案内溝と連絡される。回転軸の底面に係止部材を押し進める突起部２１２が設けられ、合わせ穴上部端の開口部を係止し、回転軸の貫通孔との連絡を絶つことによって、二重の漏れ防止効果を実現する。【選択図】図２
0003155817.tif 000002
【実用新案登録請求の範囲】
【請求項１】
本体構成品と、回転軸構成品とを含む二重の漏れ防止の香水噴霧ノズルであって、
前記本体構成品は台と嵌着部材とが設けられ、台に第１収容空間を内設し、前記第１収容空間の側壁の下方縁部に案内溝を設け、前記嵌着部材に嵌着溝を凹設し、前記嵌着溝は台の下方の外縁に嵌装し、前記嵌着溝の底面の一端に前記案内溝と連絡する受け溝を凹設し、前記嵌着部材の底面に前記案内溝と連絡する合わせ穴を上向きに設け、前記合わせ穴は前記受け溝末端部の付近場所に係止面を設け、前記合わせ穴に係止部材と弾性部材とを設け、前記弾性部材は前記係止部材を前記係止面に係止して、前記合わせ穴を密閉させて置き、
前記回転軸構成品は、前記台の前記第１収容空間に回転軸が内設され、前記回転軸は、天面に連絡する貫通孔を有し、前記貫通孔の下方は前記回転軸一端の表面に連絡する外部連絡区間を有し、前記回転軸の底面に突起部を凸設し、前記回転軸下方端の前記外部連絡区間は前記回転軸が所定場所に回されて、前記案内溝に連絡したとき、前記突起部によって、前記係止部材を押し進めて、前記係止面から引き離して、前記合わせ穴に導通を形成させることを特徴とする、二重の漏れ防止の香水噴霧ノズル。
【請求項２】
前記嵌着部材の下方に接続部材が設けられ、前記接続部材の表面に嵌着部材の外縁に嵌着される嵌着空間を内設し、前記嵌着部材の底面に前記嵌着空間に連絡する引水穴を設けることを特徴とする、請求項１記載の二重の漏れ防止の香水噴霧ノズル。
【請求項３】
前記台に固定部を含み、前記固定部の外縁に第１フランジを凸設し、前記嵌着部材の内壁に前記第１フランジの嵌装に提供するための第１凹面を凹設し、前記嵌着部材の下方端の外縁に第２フランジを凸設し、前記接続部材の内壁に前記第２フランジを嵌装する第２凹面を凹設することを特徴とする、請求項１記載の二重の漏れ防止の香水噴霧ノズル。
【請求項４】
前記回転軸に駆動部材を設け、前記駆動部材には旋転部を有し、前記旋転部の中央場所に多辺形駆動穴を設け、前記旋転部の一端に押し棒を延設し、前記押し棒は一端に設けられた制限溝に取付け、前記回転軸の上方には多辺形駆動部を設け、前記旋転部の中央場所に備える前記多辺形駆動穴は前記多辺形駆動部の外縁に嵌装することを特徴とする、請求項１記載の二重の漏れ防止の香水噴霧ノズル。
【考案の詳細な説明】
【技術分野】
【０００１】
本考案は一種の二重の漏れ防止の香水噴霧ノズルに係り、特に一種の二重の漏れ防止構造によって、香水瓶の、運送過程および熱環境で漏れやすいという問題を有効に改善できる、二重の漏れ防止の香水噴霧ノズルに関する。
【背景技術】
【０００２】
一般に良く見かける噴霧式香水瓶の構造は、圧縮ボールを操作し気体を噴出させ、圧縮ボール内部の気流の流動によって、気体を噴霧ノズルより噴出するときに、液体状と混合した上、均一な霧状として噴霧する。
【０００３】
また、一般に良く見かける香水瓶のかたちは、噴霧式の２瓶式が主であり、長距離運送の過程で温度が高くなると、瓶内部の香水は圧力によって溢れることがあり、現地に届けたときに、内部の香水が溢れだしたため、その香水瓶が瑕疵品と判定されてしまうのである。
【考案の概要】
【考案が解決しようとする課題】
【０００４】
２種類の漏れ防止構造を合わせて設けることによって、香水瓶内部から香水が滲みだすことを防ぎ、使用者が使用するときに、押し棒を逆方向へ所定の角度に回すだけで、使用の目的を実現できる二重の漏れ防止の香水噴霧ノズルを提供することを本考案の主な目的である。
【課題を解決するための手段】
【０００５】
前記目的を実現するため、本考案に係る本体構成品の台の下部は、順を追って嵌着部材と、接続部材とが接続され、台内部の側壁の下方縁部に案内溝を設け、この案内溝は受け溝によって、嵌着部材の合わせ穴に連絡され、合わせ穴の内周面に係止部材と弾性部材を設け、かつ台の内部に回転軸が枢設され、回転軸内部に貫通孔を有し、回転軸下方側の貫通孔は、回転軸が一定場所に回されたときに案内溝と連絡し、回転軸の底面に係止部材を押し進める突起部を凸設して、合わせ穴上面の開口部を止めると同時に、回転軸の貫通孔と案内溝との連絡を解除して、二重の漏れ防止の効果を実現する。
【図面の簡単な説明】
【０００６】
【図１】本考案の立体外観図である。
【図２】本考案の立体分解の局所断面図である。
【図３】本考案の回転軸の立体外観図である。
【図４】本考案の台の局所断面の立体外観図である。
【図５】本考案の嵌着部材の局所断面の立体外観図である。
【図６】本考案によって漏れ止めされたときの側視断面態様図である。
【図７】本考案が使用されるときの立体外観図である。
【図８】本考案が使用されるときの側視断面態様図である。
【考案を実施するための形態】
【０００７】
図１ないし図６を参照し、この図から明かのように、本考案は主に本体構成品１、回転軸構成品２と、上部蓋３とを含む。
【０００８】
そのうち、本体構成品１に台１１、嵌着部材１２と接続部材１３とが設けられ、台１１は基部１１１を有し、基部１１１の一端に制限溝１１１１を設け、かつ基部１１１の下方に固定部１１２を延設し、固定部１１２に第１収容空間１１３を内設し、第１収容空間１１３内部の側壁の下方縁部に案内溝１１３１を設けると共に、固定部１１２の外縁に第１フランジ１１２１を凸設し、固定部１１２底面の一端に突起ピン１１２２を凸設する。前記嵌着部材１２の表面に嵌着溝１２１を凹設し、嵌着溝１２１の内壁に第１凹面１２１１を凹設し、かつ嵌着溝１２１底面の一端に受け溝１２２を凹設し、他端に固定孔１２１２を設け、嵌着部材１２の底面は合わせ穴１２３を上向きに設け、合わせ穴１２３は嵌着溝１２１底面の一端に備える受け溝１２２に連絡し、かつ合わせ穴１２３は受け溝１２２寄りの末端部に係止面１２３１を設け、嵌着部材１２下方端の外縁に第２フランジ１２４を凸設する。接続部材１３の表面に嵌着空間１３１を凹設し、接続部材１３の底面は、嵌着空間１３１に連絡する引水穴１３２を設け、この嵌着空間１３１に弾性部材１３３を内設し、弾性部材１３３の末端部は係止部材１３４によって係止され、嵌着空間１３１の内壁に第２凹面１３１１を凹設する。
【０００９】
回転軸構成品２に回転軸２１と駆動部材２２とを設け、回転軸２１は回転軸２１の天面に連絡する貫通孔２１１を内設し、貫通孔２１１の下方には回転軸２１一端の表面に連絡する外部連絡区間２１１１を設け、さらに回転軸２１の底面に突起部２１２を凸設し、回転軸２１上方端の外縁に多辺形駆動部２１３を設け、回転軸２１下方端の外縁に複数の凹み溝２１４を並列して凹設し、各凹み溝２１４にそれぞれワッシャー２１５を内嵌する。駆動部材２２に旋転部２２１を設け、旋転部２２１の中央場所に多辺形駆動穴２２１１を設け、旋転部２２１の一端に押し棒２２２を延設する。
【００１０】
上部蓋３の表面に接合部３１を凸設し、この接合部３１は通し孔３１１を有する。
【００１１】
本考案を組み立てするときは、まず接続部材１３の嵌着空間１３１を嵌着部材１２下方の外縁に嵌装し、嵌着部材１２に設けられた第２フランジ１２４を接続部材１３の第２凹面１３１１に嵌着させることによって、接続部材１３を嵌着部材１２下方の外縁に固定すると共に、係止部材１３４と弾性部材１３３とを嵌着部材１２の合わせ穴１２３内部に進入させる。続いて、回転軸２１を嵌着部材１２の嵌着溝１２１の内部に取り付けた後に、台１１を嵌着部材１２に被せることによって、台１１の固定部１１２を嵌着溝１２１内部に進入させ、固定部１１２に設けられた第１フランジ１１２１を嵌着溝１２１の第１凹面１２１１に嵌装させ、突起ピン１１２２を固定孔１２１２内部に差し込んで固定を形成する。このとき、回転軸２１の上部は基部１１１から露出し、回転軸２１下部の外縁に嵌装された複数のワッシャー２１５と第１収容空間１１３の内壁と密閉状態を形成し、かつ回転軸２１上方に設けられた多辺形駆動部２１３を基部１１１に露出させておき、引き続き、駆動部材２２の多辺形駆動穴２２１１を多辺形駆動部２１３の外縁に嵌装し、押し棒２２２を台１１の制限溝１１１１に取り付けた上、上部蓋３を台１１に被せて、本考案の組立を完成する。
【００１２】
引き続き、図１と図６を参照し、これらの図から分かるように、本考案に係る本体構成品１に香水を入れた香水瓶４に連結し、上部蓋３に設けられた接合部３１には噴霧ノズル５が連結されている。香水瓶４と噴霧ノズル５は本考案の重点ではなく、公知技術であり、良く見かける装置であり、ここでの詳細説明を省略する。使用者が本考案を使用する前は、押し棒２２２は制限溝１１１１の一端に置かれているため、回転軸２１底面の突起部２１２は合わせ穴１２３から離れてあり、弾性部材１３３が抑えを受けると、係止部材１３４が係止面１２３１において受け止め、密閉状態を形成して、香水瓶４内部の香水は合わせ穴１２３から受け溝１２２に進入しない。さらに、係止部材１３４の係止面１２３１が受け止めた密閉状態のとき、貫通孔２１１下部の外部連絡区間２１１１と案内溝１１３１とは交差状態を形成し、連絡されない。仮に、係止部材１３４が外力または圧力によって、係止面１２３１を確実に係止できないときであっても、香水は案内溝１１３１より貫通孔２１１に流されないため、噴霧ノズル５より溢れだすことはない。使用者が使用しないときに、香水が溢れだす問題を確実に防止される。
【００１３】
図２、図４と図５を合わせて参照し、これらの図から分かるように、使用者が香水を使用するときは、まず押し棒２２２を押して、押し棒２２２を元の位置から制限溝１１１１の他端に移動して固定させる。このとき、駆動部材２２の多辺形駆動穴２２１１は多辺形駆動部２１３の外縁に嵌装されているため、押し棒２２２が回転するときに、回転軸２１を駆動し旋回させる。使用者によって、押し棒２２２が所定位置に移動されたときに、回転軸２１底面の突起部２１２が合わせ穴１２３の上方に移動し、突起部２１２によって、係止部材１３４を下方に押し進めて、係止部材１３４が係止面１２３１を引き離すことによって、合わせ穴１２３と受け溝１２２とが連絡状態を形成する。一方、合わせ穴１２３と受け溝１２２とが連絡状態を形成したときに、貫通孔２１１下方に設けられた外部連絡区間２１１１は案内溝１１３１と連絡状態を形成するため、香水瓶４内部の香水が引水穴１３２に進入し、順を追って外部連絡区間２１１１、合わせ穴１２３、受け溝１２２、案内溝１１３１、貫通孔２１１と通し孔３１１を経て噴霧ノズル５に進入し、噴霧ノズル５より噴霧される。
【００１４】
さらに、使用者は香水を使用しないときには、押し棒２２２を他端に回せば良い（図１参照）。
【符号の説明】
【００１５】
１            本体構成品
１１          台
１１２１      第１フランジ
１１１        基部
１１２２      突起ピン
１１１１      制限溝
１１３        第１収容空間
１１２        固定部
１１３１      案内溝
１２          嵌着部材
１２１        嵌着溝
１２３        合わせ穴
１２１１      第１凹面
１２３１      係止面
１２１２      固定孔
１２４        第２フランジ
１２２        受け溝
１３          接続部材
１３１        嵌着空間
１３３        弾性部材
１３１１      第２凹面
１３４        係止部材
１３２        引水穴
２            回転軸構成品
２１          回転軸
２１５        ワッシャー
２１１        貫通孔
２２          駆動部材
２１１１      外部連絡区間
２１２        突起部
２２１        旋転部
２１３        多辺形駆動部
２２１１      多辺形駆動穴
２１４        凹み溝
２２２        押し棒
３            上部蓋
３１          接合部
３１１        通し孔
４            香水瓶
５            噴霧ノズル
【図１】
0003155817.tif 000003
【図２】
0003155817.tif 000004
【図３】
0003155817.tif 000005
【図４】
0003155817.tif 000006
【図５】
0003155817.tif 000007
【図６】
0003155817.tif 000008
【図７】
0003155817.tif 000009
【図８】
0003155817.tif 000010